(57)【特許請求の範囲】
【請求項１】
組立模型の構成部位を組み立てる複数のパーツを枝状ランナーで接続したパーツ供給品であって、
前記組立模型における特定の構成部位を組み立てるための前記パーツのみを集めて前記枝状ランナーで枠状ランナーに接続して特定パーツ群を形成し、
前記特定の構成部位は、前記組立模型における頭部、胸部、腕部、下半身部、槍部、盾部のうちの少なくとも２つの構成部位であり、
前記特定パーツ群の１つは、当該特定パーツ群に対応する前記特定の構成部位を組み立てるための複数の前記パーツのうちの少なくとも２つのパーツを有し、
複数の前記特定パーツ群の前記枠状ランナー同士を切り離し可能に結合したパーツ供給品。
【請求項２】
請求項１において、
前記特定パーツ群には、当該特定パーツ群に対応する前記特定の構成部位毎に同じアイコンが付されているパーツ供給品。
【請求項３】
請求項２において、
前記アイコンは、前記特定の構成部位を示す図柄又は文字を有するパーツ供給品。
【請求項４】
請求項３において、
前記図柄又は文字は、前記枠状ランナー又は前記枝状ランナーに設けられたアイコン表示部に抜き絵で表示されているパーツ供給品。
【発明の詳細な説明】
【技術分野】
【０００１】
本発明は、パーツ供給品に関するものである。
【背景技術】
【０００２】
従来より、組立模型の構成部位を組み立てる複数のパーツを枝状ランナーで接続したパーツ供給品が知られている（特許文献１）。特許文献１に記載のパーツ供給品では、構成部位である例えば手を組み立てるための複数のパーツとしての各指が、枠状ランナーの内部において手を広げた状態における各指の位置に、枝状ランナーにより取り付けられている。そして、各指が接続されるパーツである手の平を、各指に対する手の平の位置に位置決めして、各指と手の平とを接続する。その後、各指を接続している枝状ランナーを切り離して、手の平に指が接続された手を取り出す。
【０００３】
これにより、組立模型の構成部位を容易に組み立てることができ、組立時における間違いや、パーツの紛失ミス等を避けることができる。
【先行技術文献】
【特許文献】
【０００４】
【特許文献１】特開２００９−１０７２７５号公報
【発明の概要】
【発明が解決しようとする課題】
【０００５】
しかしながら、前述したような従来のパーツ供給品においては、複数の構成部位のためのパーツが混在してパーツ供給品に取り付けられているのが一般的である。このため、例えば手のパーツを使用して手を組み立てた後も、他の構成部位（例えば、脚や頭部等）を構成するためのパーツがある場合、その全ての構成部位の組立が完了するまでパーツ供給品を廃棄することができないため邪魔になるという問題がある。また、パーツ供給品のごく一部にのみパーツが残っている場合には、パーツを探すのが困難であり、誤ってパーツが残っているパーツ供給品を廃棄して、必要なパーツを紛失するおそれもある。
【０００６】
そこで、本発明は、上記の問題を鑑みてなされたものであり、構成部位を組み立てるのに必要なパーツのみを集めることができ、容易にパーツを探すことができるようにして、パーツの紛失を防止することができるパーツ供給品を提供することを目的とする。
【課題を解決するための手段】
【０００７】
本発明のパーツ供給品は、組立模型の構成部位を組み立てる複数のパーツを枝状ランナーで接続したパーツ供給品であって、前記組立模型における特定の構成部位を組み立てるための前記パーツのみを集めて前記枝状ランナーで枠状ランナーに接続して特定パーツ群を形成し、前記特定の構成部位は、前記組立模型における頭部、胸部、腕部、下半身部、槍部、盾部のうちの少なくとも２つの構成部位であり、前記特定パーツ群の１つは、当該特定パーツ群に対応する前記特定の構成部位を組み立てるための複数の前記パーツのうちの少なくとも２つのパーツを有し、複数の前記特定パーツ群の前記枠状ランナー同士を切り離し可能に結合した構成を有する。
【０００８】
また、本発明のパーツ供給品において、前記特定パーツ群には、当該特定パーツ群に対応する前記特定の構成部位毎に同じアイコンが付されている構成を有することが好ましい。
【０００９】
また、本発明のパーツ供給品において、前記アイコンが、前記特定の構成部位を示す図柄又は文字を有することが好ましい。また、本発明のパーツ供給品において、前記図柄又は文字は、前記枠状ランナー又は前記枝状ランナーに設けられたアイコン表示部に抜き絵で表示されていることが好ましい。

【発明の効果】
【００１０】
本発明に係るパーツ供給品によれば、組立模型における特定の構成部位を組み立てるためのパーツのみを集めて枝状ランナーで枠状ランナーに接続して特定パーツ群を形成しているので、パーツ供給品から該当する特定パーツ群を切り離して、必要なパーツのみを容易に集めることができるとともに、残っているパーツを容易に把握できるので、パーツの紛失を防止することができる。また、当該構成部位を組み立てた後は未使用のパーツは残っていないので、特定パーツ群を廃棄することができ、不要な部品を整理できるパーツ供給品を提供することができる。
【図面の簡単な説明】
【００１１】
【図１】本発明にかかる実施形態のパーツ供給品により組み立てられる戦闘人形の全体斜視図である。
【図２】本発明にかかる実施形態のパーツ供給品の平面図である。
【図３】本発明にかかる実施形態のパーツ供給品を分離した状態を示す平面図である。
【図４】Ａ型パーツ供給品を、各特定パーツ群に分離した状態を示す平面図である。
【図５】各構成部位を組み立てるための特定パーツ群を集めた状態を示す説明図である。
【発明を実施するための形態】
【００１２】
以下、本発明に係る好適な実施の形態について、図面を参照しながら説明する。図１および図２に示すように、本発明にかかる実施形態のパーツ供給品１０は、例えば、組立模型である戦闘人形１の構成部位，すなわち、頭部２１、胸部２２、腕部２３、下半身部２４、槍２５、盾２６を組み立てるためのパーツ３０１を供給するものである。ここでは、Ａ型パーツ供給品１０Ａ、Ｂ型パーツ供給品１０Ｂ、Ｃ型パーツ供給品１０Ｃの、３種のパーツ供給品１０を有する場合について説明する。なお、Ａ型パーツ供給品１０Ａ、Ｂ型パーツ供給品１０Ｂ、Ｃ型パーツ供給品１０Ｃの全体に共通する場合には、「パーツ供給品１０」で表示することとする。
【００１３】
図２に示すように、パーツ供給品１０は、特定の構成部位２０を組み立てるための複数のパーツ３０１（各部のパーツの総称である。）のみを枝状ランナー４２で枠状ランナー４３に接続して特定パーツ群３０を形成し、複数の特定パーツ群３０の枠状ランナー４３同士を切り離し可能に結合したものである。例えば、各枠状ランナー４３の枠状ランナー４３同士を、枝状ランナー４４によって結合したり、枠状ランナー４３の一部を別（図２においては円形）の枠状ランナー４５によって切り離し可能に結合することができる。
【００１４】
図３には、各型のパーツ供給品１０から、特定パーツ群３０を切り離した状態が示されている。各型のパーツ供給品１０は、それぞれに、頭部２１，胸部２２，腕部２３，下半身部２４，槍２５，盾２６の内のいくつかの構成部位２０を組み立てるための特定パーツ群３０を有する。
【００１５】
すなわち、図４にも示すように、Ａ型パーツ供給品１０Ａは、頭部２１を組み立てるパーツ３１１のみからなる頭部特定パーツ群３１Ａ、胸部２２を組み立てるパーツ３２１のみからなる胸部特定パーツ群３２Ａ、腕部２３を組み立てるパーツ３３１のみからなる腕部特定パーツ群３３Ａ、下半身部２４を組み立てるパーツ３４１のみからなる下半身部特定パーツ群３４Ａ、盾２６を組み立てるパーツ３６１のみからなる盾特定パーツ群３６Ａを有する。なお、Ａ型パーツ供給品１０Ａには、槍２５を組み立てるためのパーツ３５１を有する槍特定パーツ群３５は含まれていない。
【００１６】
同様に、図３に示すように、Ｂ型パーツ供給品１０Ｂは、頭部特定パーツ群３１Ｂ、胸部特定パーツ群３２Ｂ、腕部特定パーツ群３３Ｂ、下半身部特定パーツ群３４Ｂを有し、槍特定パーツ群３５Ｃおよび盾特定パーツ群３６Ａは含まれていない。また、Ｃ型パーツ供給品１０Ｃは、頭部特定パーツ群３１Ｃ、胸部特定パーツ群３２Ｃ、腕部特定パーツ群３３Ｃ、下半身部特定パーツ群３４Ｃ、槍特定パーツ群３５Ｃを有し、盾特定パーツ群３６Ａは含まれていない。
【００１７】
図４には、Ａ型パーツ供給品１０Ａを、各特定パーツ群３１Ａ〜３６Ａに切り離した状態が示されている。各特定パーツ群３１Ａ〜３６Ａには、その特定パーツ群３０に含まれるパーツ３０１が、どの構成部位２０を組み立てるのに用いられるかを示すアイコン表示部４６が設けられている。
【００１８】
例えば、頭部特定パーツ群３１Ａに設けられているアイコン表示部４６は、頭部２１を示すアイコン４６１が表示されている。アイコン４６１としては、例えば、頭部２１の図柄や名称等を，抜き絵で表示することができる。他の特定パーツ群３０では、それぞれの図柄や文字等が表示されており、異なる特定パーツ群３０には、異なる表示が設けられている。
【００１９】
なお、図示はしないが、Ｂ型パーツ供給品１０ＢおよびＣ型パーツ供給品１０Ｃにおいても同様に、アイコン表示部４６が設けられており、同じ構成部位２０に対する特定パーツ群３０については、全てのパーツ供給品１０において同じアイコン４６１が設けられている。
【００２０】
従って、各構成部位２０を組み立てる際には、各型のパーツ供給品１０から切り離した特定パーツ群３０の内の、同じ特定パーツ群３０を集めることにより、必要なパーツ４１が揃う。すなわち、各特定パーツ群３０のアイコン表示部４６に表示されているアイコン４６１が同じものを集めることにより、必要なパーツ４１が揃う。
【００２１】
例えば、図５（Ａ）に示すように、頭部２１を組み立てる際には、Ａ型パーツ供給品１０Ａから頭部特定パーツ群３１Ａを、Ｂ型パーツ供給品１０Ｂから頭部特定パーツ群３１Ｂを、Ｃ型パーツ供給品１０Ｃから頭部特定パーツ群３１Ｃを持ってくる。これにより、頭部２１の組立に必要なパーツ３１１は、全て揃い，且つ、他の構成部位２０のためのパーツ３０１は含まれない。
【００２２】
また、図５（Ｂ）ないし（Ｆ）に示すように、他の構成部位２０についても、各特定パーツ群３０のアイコン表示部４６に表示されているアイコン４６１が同じものを集めることにより、必要なパーツ４１が揃うことは、全く同様である。なお、図５（Ｅ）および（Ｆ）に示すように、単一の特定パーツ群３０のみ用いられる場合もある。
【００２３】
以上、説明した実施形態にかかるパーツ供給品１０によれば、戦闘人形１における特定の構成部位２０を組み立てるためのパーツ３０１のみを集めて枝状ランナー４２で枠状ランナー４３に接続して特定パーツ群３０を形成しているので、この構成部位２０を組み立てる際のパーツ３０１を容易に探すことができる。また、パーツ供給品１０は、特定パーツ群３０の枠状ランナー４３同士を切り離し可能に結合して形成されているので、パーツ供給品１０から該当する特定パーツ群３０を切り離して、必要なパーツ３０１のみを容易に集めることができるとともに、組み立て作業の進捗状況を容易に把握できる。このため、当該構成部位２０を組み立てた後はパーツ３０１が残っていないので、特定パーツ群３０を廃棄することができ、不要な部品を整理できる。
【００２４】
また、特定パーツ群３０には、組み立てる構成部位２０毎に同じアイコン４６１が付されているので、パーツ供給品１０から特定パーツ群３０を切り離し、同じアイコン４６１を有する特定パーツ群３０を集めることにより、当該構成部位２０を組み立てるためのパーツ３０１を容易に集めることができ、作業性が向上する。
【００２５】
さらに、アイコン４６１が、構成部位２０を示す図柄を有するので、パーツ供給品１０から特定パーツ群３０を切り離した後でも、その特定パーツ群３０がどの構成部位２０の組み立てに用いるパーツ３０１であるか容易に識別できる。
【００２６】
以上、本発明の好ましい実施例について詳述したが、本発明に係るパーツ供給品１０は、上述した実施形態に限定されるものではなく、特許請求の範囲に記載された本発明の要旨の範囲内において、種々の変形、変化が可能である。すなわち、前述した実施形態では、組立模型として戦闘人形１を組み立てるのに用いられるパーツ供給品１０について例示したが、これに限るものではなく、複数の構成部位２０を有する組立模型に適用可能である。
【符号の説明】
【００２７】
１  戦闘人形（組立模型）
１０  パーツ供給品
２０  構成部位
３０  特定パーツ群
３０１  パーツ
４２  枝状ランナー
４３  枠状ランナー
４６１  アイコン
【図１】
0005753111.tif 000002
【図２】
0005753111.tif 000003
【図３】
0005753111.tif 000004
【図４】
0005753111.tif 000005
【図５】
0005753111.tif 000006